(57)【要約】    【課題】  原稿が平面でない場合に正反射した光束があった場合でも、輝点写り込みによる濃度ムラを抑制し、高画質な画像読取りを可能にした小型で高効率な照明装置及びそれを用いた画像読取装置を得ること。    【解決手段】  被照射面に配置された画像情報を読取光学系を介してラインセンサの上に結像させ、画像情報を得る画像読取装置に用いられる、画像情報を照明するための照明装置であって、照明装置は複数の発光素子が主走査方向に配列された光源手段と光源手段と被照射面との間に配置され、光源手段から出射した光束であって画像情報を直接照明する光束以外の一部の光束を光源手段側へ反射させる反射手段と複数の発光素子が配列されている側で複数の発光素子の間を含む面内に配置され、反射手段で反射された光束を被照射面側へ反射させる再帰反射手段とを有すること。【選択図】    図１
2010178143.tif 000002
【特許請求の範囲】
【請求項１】
被照射面に配置された画像情報を、読取光学系を介して複数の受光素子が主走査方向に配列されたラインセンサの上に結像させ、前記画像情報を得る画像読取装置に用いられる、前記画像情報を照明するための照明装置であって、
前記照明装置は、複数の発光素子が主走査方向に配列された光源手段と、
前記光源手段と前記被照射面との間に配置され、前記光源手段から出射した光束であって、前記画像情報を直接照明する光束以外の一部の光束を、前記光源手段側へ反射させる反射手段と、
前記複数の発光素子が配列されている側で前記複数の発光素子の間を含む面内に配置され、前記反射手段で反射された光束を、前記被照射面側へ反射させる再帰反射手段と、を有すること特徴とする照明装置。
【請求項２】
被照射面に配置された画像情報を、読取光学系を介して複数の受光素子が主走査方向に配列されたラインセンサの上に結像させ、前記画像情報を得る画像読取装置に用いられる、前記画像情報を照明するための照明装置であって、
前記照明装置は、複数の発光素子が主走査方向に配列された光源手段と、
前記光源手段と前記被照射面との間に配置され、前記光源手段から出射した光束のうち、入射角度によって一部の光束を出射させ、残りの一部の光束を前記光源手段側へ反射させる反射角選択素子と、
前記複数の発光素子が配列されている側で前記複数の発光素子の間を含む面内に配置され、前記反射手段で反射された光束を、前記被照射面側へ反射させる再帰反射手段と、を有すること特徴とする照明装置。
【請求項３】
前記反射角選択素子は、３角プリズムを複数、主走査方向に配列したプリズムアレイを有すること特徴とする請求項２に記載の照明装置。
【請求項４】
被照射面に配置された画像情報を、読取光学系を介して複数の受光素子が主走査方向に配列されたラインセンサの上に結像させ、前記画像情報を得る画像読取装置に用いられる、前記画像情報を照明するための照明装置であって、
前記照明装置は、複数の発光素子が主走査方向に配列された光源手段と、
前記光源手段と前記被照射面との間に配置され、前記光源手段から出射した光束を前記被照射面に導光する導光体を有し、
前記導光体は、前記光源手段から出射した光束が入射する入射面と、前記入射面から入射した光束が前記被照射面側へ直接出射する出射面と、前記入射面から入射した光束であって、前記出射面から直接出射しない光束の一部を前記入射面側へ反射させる反射面と、前記反射面で反射した光束を前記出射面側へ反射させる再帰反射手段と、を有すること特徴とする照明装置。
【請求項５】
請求項１乃至４のいずれか１項に記載の照明装置と、前記照明装置から出射した光束で照明された原稿面上の画像情報を読取光学系によってラインセンサに結像させ、前記ラインセンサからの信号を用いて画像情報を読み取ることを特徴とする画像読取装置。
【発明の詳細な説明】
【技術分野】
【０００１】
本発明は照明装置及びそれを用いた画像読取装置に関する。特に、イメージスキャナー、複写機、ファクシミリなど、原稿面を照明して線順次方式で画像読取を行う機器に好適なものである。
【背景技術】
【０００２】
一般に、イメージスキャナー、複写機、ファクシミリなど、原稿面を照明して線順次方式で画像読取を行う画像読取装置に用いられる照明装置は蛍光灯などの管状（線状）光源を用いて原稿面を照明する。
【０００３】
図８は照明装置(照明系）として管状（線状）光源を用いたキャリッジ方式の画像読取装置の要部断面図である。
【０００４】
同図において、主走査方向に長い管状光源（照明装置）８１３から射出された照明光は原稿台ガラス８０１上に置かれた原稿(原稿面）８０２を照明する。原稿面８０２で反射した画像情報を有した反射光束は複数の反射ミラー８０８を介してキャリッジ８１２内部でその光束の光路が折り曲げられている。そして光路が折り曲げられた光束を読取光学系８０９により１次元光電変換素子（ＣＣＤ）８１０面上に結像させている。そしてキャリッジ８１２をモータ８１１等の駆動装置により図８に示す矢印方向（副走査方向）に移動させて原稿８０２の画像を線順次読取方式で読み取っている。
【０００５】
この種の画像読取装置において、管状光源としては、冷陰極蛍光管やキセノン管などが主に用いられている。キセノン管は光量の安定性が良いため、業務用機器として多用されているが、製作が難しい。そのため、特に家庭用機器としては、製作が容易な冷陰極管が多用されている。
【０００６】
また、昨今の技術開発の結果、発光ダイオード（Light Emittiｎg Diode：以下、「ＬＥＤ」と称す）の発光効率が向上し、ＬＥＤを使い線状照明装置とする技術が開示されている。
【０００７】
光源手段としてＬＥＤのような点光源を用いる場合は、複数の点光源を主走査方向に配列する構成により、光量増加を図るのが一般的である。
【０００８】
しかしながら、複数のＬＥＤを主走査方向にアレイ状に配置した構成の場合、各ＬＥＤから出射された光束で原稿面に直接照明すると、主走査方向において照度ムラが生じ、読み取った画像に濃度ムラが発生する。
【０００９】
この照度ムラの発生を抑制し、ＬＥＤを光源手段として用いた画像読取装置が従来より種々と提案されている（特許文献１、２参照）。
【００１０】
特許文献１における画像読取装置は、光源手段と被対象物との間に、光束(光線）をランダムに拡散する光拡散部を設けることで、照度ムラを解消している。
【００１１】
特許文献２における画像読取装置は、複数の点光源を直線状に配列した光源手段から発光した光束と、この光束のうち被対象物で正反射した光束をリフレクターで再度被対象物に照明することで、照度分布を均一化している。
【特許文献１】特開２００５−１５６６００号公報
【特許文献２】特開２００６−２４５９５５号公報
【発明の開示】
【発明が解決しようとする課題】
【００１２】
しかしながら、特許文献１では、光束をランダムに拡散してしまうために、所望の被照明領域外に拡散してしまう光束が多く、光の利用効率が悪い。また、光源手段と被対象物との間に光拡散部が必要となり、照度ムラを十分に抑制するには、光源手段と光拡散部の距離を大きくする必要があり、照明装置が大型化してしまう。
【００１３】
特許文献２では、ＬＥＤをアレイ状に配置することで光量は十分確保できている。しかしながら、光源手段により照明された原稿の正反射光を再度反射するようリフレクターを配置し、リフレクターの角度を主走査方向に偏向して再度原稿を照明している。そのため、原稿の表面状態によっては、照度ムラを十分に抑制できない場合も発生する。
【００１４】
更に、光沢のある原稿がカールした状態の場合やCD-ROMのような僅かな立体物の場合に、原稿で正反射した光束が読取光学系を通ってラインセンサ（ＣＣＤ）上に結像し、読み取った画像に濃度ムラが発生してしまう。
【００１５】
この濃度ムラは、光源手段としてのＬＥＤアレイ（複数のＬＥＤが直線状に配置されたＬＥＤ光源）の像が適度に拡散されずに点像のようにラインセンサ上に写り込む現象（以下、「輝点写り込み」と称す。）で、読取画像の品質を大きく損なうものである。
【００１６】
以下、図９を用いて輝点写り込みの課題を詳細に説明する。図９は、ＬＥＤアレイを用いた一般的な画像読取装置の主要部分についての要部断面図である。
【００１７】
同図においてＬＥＤアレイ（ＬＥＤ光源）９０６から出射した光束が、照明装置(照明系）の一要素を構成する導光体９１４を介して原稿台ガラス９０１上の原稿(原稿面）９０２を照明する。このとき、原稿９０２が平面であれば、正反射光は点線の矢印の方向に向かい読取光学系(結像レンズ）９０９の入射瞳９１５には向かわず、輝点写り込みは発生しない。
【００１８】
しかしながら、原稿９１５のようなカールした原稿の場合、正反射光はちょうど実線の矢印で示すように平面原稿９０２の拡散反射光が通る光路を通って読取光学系９０９の入射瞳９１５に入射してしまう。その結果、ＬＥＤアレイ９０６の像がラインセンサ９１０上に結像してしまう。
【００１９】
特に、光沢のある紙やプラスチックなどの滑らかな表面を有した原稿の場合、ＬＥＤアレイ９０６の発光点からの直接光がちょうど鏡で反射されるように原稿面で折り返され、それが読取光学系９０９でラインセンサ９１０上に結像してしまう。その結果、読取画像の中で一部分が明るい輝点となって写りこんでしまう、所謂輝点写り込みが生じ、読取画像の品質を大きく損なうという問題点があった。
【００２０】
本発明は原稿が平面でない場合に正反射した光束があった場合でも、輝点写り込みによる濃度ムラを抑制し、高画質な画像読取りを可能にした小型で高効率な照明装置及びそれを用いた画像読取装置の提供を目的とする。
【課題を解決するための手段】
【００２１】
本発明の照明装置は、
被照射面に配置された画像情報を、読取光学系を介して複数の受光素子が主走査方向に配列されたラインセンサの上に結像させ、前記画像情報を得る画像読取装置に用いられる、前記画像情報を照明するための照明装置であって、
前記照明装置は、複数の発光素子が主走査方向に配列された光源手段と、
前記光源手段と前記被照射面との間に配置され、前記光源手段から出射した光束であって、前記画像情報を直接照明する光束以外の一部の光束を、前記光源手段側へ反射させる反射手段と、
前記複数の発光素子が配列されている側で前記複数の発光素子の間を含む面内に配置され、前記反射手段で反射された光束を、前記被照射面側へ反射させる再帰反射手段と、を有すること特徴としている。
【発明の効果】
【００２２】
本発明によれば原稿が平面でない場合に正反射した光があった場合でも、輝点写り込みによる濃度ムラを抑制し、高画質な画像読取りを可能にした小型で高効率な照明装置及びそれを用いた画像読取装置を達成することができる。
【発明を実施するための最良の形態】
【００２３】
本発明の照明装置は、ＬＥＤ等の複数の発光素子が主走査方向に配列された光源手段を有している。そして光源手段と被照射面との間に配置され、光源手段から出射した光束であって、画像情報を直接照明する光束以外の一部の光束を、光源手段側へ反射させる反射手段とを有している。さらに複数の発光素子が配列されている側で複数の発光素子の間を含む面内に配置され、反射手段で反射された光束を、被照射面側へ反射させる再帰反射手段とを有している。
【００２４】
以下、図面を用いて本発明の実施例を説明する。
【実施例１】
【００２５】
図１は本発明の実施例１の照明装置(照明系）の副走査方向の要部断面図（副走査断面図）である。
【００２６】
尚、以下の説明において、ラインセンサで画像を読み取る方向を主走査方向（Ｘ方向）、読取光学系の光軸と主走査方向を含む面を主走査断面、主走査方向に直交し、画像を読み取る方向を副走査方向（Ｙ方向）、主走査断面と直交する断面を副走査断面とする。
【００２７】
同図において、1０１は原稿台（原稿台ガラス）であり、その面上に被照射物体（原稿）１０２が配置されている。
【００２８】
１０６は光源手段であり、複数の発光素子（ＬＥＤ）が主走査方向に所定間隔で配列されたＬＥＤアレイ(光源アレイ）より成り、基板１０５に実装されている。
【００２９】
１０３は反射板であり、ＬＥＤアレイ１０６から出射された光束の一部を原稿１０２側へ反射している。
【００３０】
１０４は反射手段であり、ＬＥＤアレイ１０６と原稿１０２との間に配置されている。反射手段１０４はＬＥＤアレイ１０６から出射した光束であって、画像情報を直接照明する光束以外の一部の光束（原稿照明に寄与しない光束）１２１をＬＥＤアレイ１０６側（光源手段側）へ反射している。
【００３１】
１０７は再帰反射手段であり、複数の発光素子が配列されている側で複数の発光素子の間を含む面内に配置され、反射手段１０４で反射された光束を、原稿１０２側（被照射面側）へ反射している。
【００３２】
１０８はスリットであり、原稿１０２で反射された画像情報に基づく反射光束を規制している。
【００３３】
尚、ＬＥＤアレイ１０６、反射手段１０４、再帰反射手段１０７、そして反射板１０３等の各要素は照明装置(照明系）ＬＢの一要素を構成している。
【００３４】
本実施例において、ＬＥＤアレイ１０６から出射した光束は、直接原稿１０２を照明すると同時に、反射板１０３を介して原稿１０２を照明する。
【００３５】
一方、原稿照明に寄与しない光束１２１の一部は、反射手段１０４に到達(入射）後、ＬＥＤアレイ１０６側に向けて反射される。ＬＥＤアレイ１０６の同列には再帰反射手段１０７が配置されており、反射手段１０４で反射された光束が再帰反射手段１０７に到達後、原稿１０２側に向けて反射される。そして再帰反射手段１０７で反射された光束は、直接原稿１０２を照明すると同時に、反射板１０３を介して原稿１０２を照明する。
【００３６】
そして、これらの照明光束で照明された原稿１０２の画像情報に基づく光束は、複数の反射ミラー（不図示）を介して本体内部でその光束の光路が折り曲げられる。そして読取光学系（不図示）によりラインセンサ（ＣＣＤ）の上に結像される。そしてラインセンサからの信号を用いて原稿面上の画像情報が読み取られる。
【００３７】
次に本実施例の照明装置の構成及び光学的作用について図２を用いて、さらに詳細に説明する。
【００３８】
図２は図１に示した照明装置の主要部分の主走査方向の要部向断面図（主走査断面図）である。同図においては原稿１０２側から見たＬＥＤアレイ１０６の配置を示している。同図において図１に示した要素と同一要素には同符番を付している。
【００３９】
同図におけるＬＥＤアレイ１０６は、複数の受光素子１０６ａが主走査方向に所定間隔で配列され、該ＬＥＤアレイ１０６と同列に再帰反射手段１０７が配置されている。再帰反射手段１０７は、複数のＬＥＤ１０６ａ間を埋めるように複数の反射面（反射素子）１０７aを有しており、反射手段１０４で反射され戻ってきた光束の一部を、該反射面１０７aで再度原稿１０２側へ反射している。
【００４０】
反射手段１０４の具体例としては、表面に金属反射膜を施した板金やプラスチックシート等、できるだけ反射率の高いものが好ましい。
【００４１】
本実施例の反射手段１０４の副走査断面は曲面形状(R形状)を有しており、ＬＥＤアレイ１０６から出射した光束を効率良く再帰反射手段１０７に向けて反射している。反射手段１０４の主走査断面は平面形状でも濃度ムラを軽減できるが、より望ましくは鋸形状等が良い。
【００４２】
再帰反射手段１０７の具体例としては、表面に凹凸のある拡散シート等で、原稿を均一に照明するために、できるだけ拡散度の高いほうが好ましい。
【００４３】
このような構成にすることにより、原稿１０２が平面でない場合に正反射した光束があった場合でも、反射面１０７aからの照明光の影響により、コントラストの高い輝点が写り込むことが抑制され、読取画像の濃度ムラを軽減できる。また、原稿照明に寄与していない光束１２１を再利用しているため、小型で効率の良い照明が可能となる。
【００４４】
図３は本発明の照明装置をキャリッジ一体型の画像読取装置に適用したときの要部断面図である。同図において図１に示した要素と同一要素には同符番を付している。
【００４５】
同図において、1０１は原稿台（原稿台ガラス）であり、その面上に被照射物体（原稿）１０２が配置されている。１１２はキャリッジであり、原稿台１０１の原稿１０２を照明する照明装置ＬＢ、複数の反射ミラー１０８、読取光学系（結像レンズ）１０９、そして読取光学系で結像した画像を一方向に読み取るラインセンサ(CCD)１１０等を一体的に収納している。
【００４６】
照明装置ＬＢは前述したＬＥＤアレイ１０６、反射手段１０４、再帰反射手段１０７、そして反射板１０３より成っている。複数の反射ミラー１０８は原稿１０２で反射した光束の光路をキャリッジ１１２内部で折り曲げている。読取光学系（結像レンズ）１０９は原稿１０２からの光束をラインセンサ（Charge Coupled Device）(CCD)１１０の上に結像させている。ラインセンサ１１０は紙面垂直方向である主走査方向（Ｙ方向）に複数の受光素子を配列した構成になっている。
【００４７】
本実施例において、ＬＥＤアレイ１０６から出射した光束は、直接原稿１０２を照明すると同時に、反射板１０３を介して原稿１０２を照明する。
【００４８】
一方、原稿照明に寄与しない光束１２１の一部は、反射手段１０４に到達後、ＬＥＤアレイ１０６側に向けて反射される。ＬＥＤアレイ１０６の同列には、再帰反射手段１０７が配置されており、反射手段１０４で反射された光束が再帰反射手段１０７に到達後、原稿１０２側に向けて反射される。そして再帰反射手段１０７で反射された光束は、直接原稿１０２を照明すると同時に、反射板１０３を介して原稿１０２を照明する。
【００４９】
そして、これらの照明光束で照明された原稿１０２の画像情報に基づく光束は、複数の反射ミラー１０８を介して本体内部でその光束の光路が折り曲げられ、読取光学系１０９によりラインセンサ（ＣＣＤ）の上に結像される。
【００５０】
そして駆動装置１１１によりキャリッジ１１２が副走査方向（図中、矢印）に移動しながら原稿１０２の画像情報（２次元画像）を線順次方式で読み取っていく。読み取られた原稿１０２の画像情報は不図示のインターフェイスを通じて外部機器であるパーソナルコンピューターなどに送られる。
【００５１】
本実施例の画像読取装置においては、上述した照明装置ＬＢを用いている為、輝点写り込みによる濃度ムラを抑制することができる。
【００５２】
このように本実施例では複数のＬＥＤを主走査方向に配列したＬＥＤアレイを用いた照明装置において、原稿が平面でない場合に正反射した光束があった場合でも、輝点写り込みによる濃度ムラを抑制することができる。これにより高画質な画像読取りを可能としている。
【００５３】
尚、本実施例では読取光学系をレンズより構成したが、これに限らず、例えばミラー等より成る反射系で構成しても良い。
【実施例２】
【００５４】
図４は本発明の実施例２の照明装置の副走査方向の要部断面図である。同図において図１に示した要素と同一要素には同符番を付している。
【００５５】
本実施例において、前述の実施例１と異なる点は、照明装置ＬＢの構成を一部異ならせたことである。その他の構成及び光学的作用は実施例１と同様であり、これにより同様な効果を得ている。
【００５６】
つまり、同図において、２０４は照明装置ＬＢの一要素を構成する反射角選択素子であり、ＬＥＤアレイ１０６と原稿１０２との間に配置されている。
【００５７】
反射角選択素子２０４は、ＬＥＤアレイ１０６から出射した光束のうち、入射角度によって一部の光束を出射させ、残りの一部の光束２２１をＬＥＤアレイ１０６側へ反射している。
【００５８】
本実施例における反射角選択素子は、後述する図５に示すように３角プリズム２０４ａを複数、主走査方向に配列したプリズムアレイを有している。
【００５９】
本実施例において、ＬＥＤアレイ１０６から出射した光束は、直接或は、反射板１０３を介して反射角選択素子２０４に到達（入射）する。反射角選択素子２０４に到達した光束は、一部は拡散透過し、原稿１０２を照明する。
【００６０】
一方、残りの光束２２１は、ＬＥＤアレイ１０６側に向けて反射される。ＬＥＤアレイ１０６の同列には、上述した如く再帰反射手段１０７が配置されており、反射角選択素子２０４で反射された光束２２１は再帰反射手段１０７で反射角選択素子２０４側に向けて再度反射される。そして、反射角選択素子２０４に到達した光束は、一部が拡散透過し、原稿１０２を照明する。
【００６１】
そして、これらの照明光束で照明された原稿１０２の画像情報に基づく光束は、複数の反射ミラー（不図示）を介して本体内部でその光束の光路が折り曲げられ、読取光学系（不図示）によりラインセンサ（ＣＣＤ）の上に結像される。
【００６２】
次に反射手段２０４の構成及び光学的作用について図５を用いて説明する。図５は図４に示した反射手段の主走査方向の要部断面図である。同図において図４に示した要素と同一要素には同符番を付している。
【００６３】
本実施例における反射角選択素子２０４は、図５に示すように、ＬＥＤアレイ（不図示）側の片面２０４ｂに３角プリズム２０４ａを主走査方向に複数、配列したプリズムアレイ（シート）より成っている。
【００６４】
同図において、３角プリズム２０４ａ側から入射した光束は、一部は拡散透過して原稿（不図示）を照明し、残りの一部は再帰反射手段（不図示）側に向けて反射して、該再帰反射手段に到達する。そして再帰反射手段で反射された光束は、再度３角プリズム２０４ａ側から入射し、一部は拡散透過して原稿を照明する。
【００６５】
このような構成にすることにより、前述した実施例１と同様に、原稿１０２が平面でない場合に正反射した光束があった場合でも、輝点写り込みによる濃度ムラを抑制することができる。これにより高画質な画像読取りを可能としている。
【実施例３】
【００６６】
図６は本発明の実施例３の照明装置の副走査方向の要部断面図である。図６において図１に示した要素と同一要素には同符番を付している。
【００６７】
本実施例において、前述の実施例１と異なる点は、照明装置ＬＢの構成を一部異ならせたことである。その他の構成及び光学的作用は実施例１と同様であり、これにより同様な効果を得ている。
【００６８】
つまり、同図において４１４は照明装置ＬＢの一要素を構成する導光体であり、ＬＥＤアレイ１０６と原稿１０２との間に配置され、ＬＥＤアレイ１０６から出射した光束を原稿１０２に導光している。
【００６９】
本実施例における導光体４１４は、ＬＥＤアレイ１０６から出射した光束が入射する入射面４１４ａと、入射面４１４ａから入射した光束が原稿１０２側へ直接出射する出射面４１４ｂとを有している。さらに入射面４１４ａから入射した光束であって、出射面４１４ｂから直接出射しない光束の一部を入射面側へ反射させる反射面４０４と、該反射面４０４で反射した光束を出射面側へ反射させる再帰反射手段（反射面）４０７とを有している。
【００７０】
反射面４０４は、導光体４１４の内部に設けられ、入射面４１４ａから入射した原稿照明に寄与しない光束の一部を再帰反射手段４０７側に向けて反射している。再帰反射手段４０７は、導光体４１４の入射面４１４ａの裏面側に配置され、反射面４０４で反射された光束の一部を出射面４１４ｂ側へ反射している。
【００７１】
本実施例において、ＬＥＤアレイ１０６から出射した光束は、導光体４１４の入射面４１４ａから入射し、一部の光束が出射面４１４ｂから直接出射し、原稿１０２を照明する。
【００７２】
一方、原稿照明に寄与しない光束の一部は、反射面４０４に到達(入射）後、再帰反射手段４０７側に向けて反射される。そして再帰反射手段４０７により反射された光束の一部は、出射面４１４ｂから出射し、原稿１０２を照明する。
【００７３】
そして、これらの照明光束で照明された原稿１０２の画像情報に基づく光束は、複数の反射ミラー（不図示）を介して本体内部でその光束の光路が折り曲げられ、読取光学系（不図示）によりラインセンサ（ＣＣＤ）の上に結像される。
【００７４】
図７は図６に示した導光体の主走査方向の要部断面図である。同図においては原稿１０２側から見た導光体４１４及びＬＥＤアレイ１０６の配置を示している。同図において図２、図６に示した要素と同一要素には同符番を付している。
【００７５】
同図に示すように再帰反射手段４０７は上述した如く導光体４１４の入射面４１４ａの裏面側に配置されており、反射面４０４で反射され戻ってきた光束の一部を原稿１０２側へ反射している。
【００７６】
反射面４０４の具体例としては、金属反射膜を施した反射率の高いものが好ましい。
【００７７】
本実施例の反射面４０４の副走査断面は平面や曲面形状(R形状)を有している。これによりＬＥＤアレイ１０６から出射した光束を効率良く再帰反射手段４０７に向けて反射している。反射面４０４の主走査断面は平面形状でも良い。この他、鋸形状でも良い。
【００７８】
再帰反射手段４０７の具体例としては、ＬＥＤの対向面が透過面で、その周囲が反射面が適用できる。この他、ＬＥＤの対向面が透過面で、その周囲が表面に凹凸のある拡散反射面であっても良い。
【００７９】
このような構成にすることにより、原稿１０２が平面でない場合に正反射した光束があった場合でも、再帰反射手段４０７からの照明光の影響により、コントラストの高い輝点が写り込むことが抑制され、読取画像の濃度ムラを軽減できる。また、原稿照明に寄与していない光束を再利用しているため、小型で効率の良い照明が可能となる。
【００８０】
また、本実施例における導光体４１４は、上述した如く反射面４０４と再帰反射手段４０７とを有しており、一つの光学部品で複数の機能を有することにより、照明装置全体の小型化を図っている。
【００８１】
尚、各実施例では一体型（フラットベッド型）の画像読取装置に本発明を適用したが、これに限らず、例えば１：２走査光学系(ミラー走査方式）を有する画像読取装置に適用しても本発明は上述の実施例と同様に適用することができる。
【００８２】
以上、本発明の好ましい実施例について説明したが、本発明はこれらの実施例に限定されず、その要旨の範囲内で種々の変形及び変更が可能である。
【図面の簡単な説明】
【００８３】
【図１】本発明の実施例１の照明装置の副走査断面図
【図２】本発明の実施例１の照明装置の主走査断面図
【図３】本発明の実施例１の画像読取装置の要部断面図
【図４】本発明の実施例２の照明装置の副走査断面図
【図５】本発明の実施例２の照明装置の反射手段の説明図
【図６】本発明の実施例３の照明装置の副走査断面図
【図７】本発明の実施例３の照明装置の主走査断面図
【図８】従来の画像読取装置の要部断面図
【図９】従来の画像読取装置の要部断面図
【符号の説明】
【００８４】
１０１  原稿台
１０２  原稿
１０３  反射板
１０４  反射手段
１０５  基板
１０６  光源手段（ＬＥＤアレイ）
１０７，４０７  再帰反射手段
１０８  スリット
１０９  読取光学系
１１０  ラインセンサ（ＣＣＤ）
１１１  モータ
２０４  反射角選択素子
２０４ａ  三角プリズム
４１４  導光体
４０４  反射面
ＬＢ  照明装置
【図１】
2010178143.tif 000003
【図２】
2010178143.tif 000004
【図３】
2010178143.tif 000005
【図４】
2010178143.tif 000006
【図５】
2010178143.tif 000007
【図６】
2010178143.tif 000008
【図７】
2010178143.tif 000009
【図８】
2010178143.tif 000010
【図９】
2010178143.tif 000011